(57)【要約】【課題】本発明は、市販されている携帯用刈払機を利用し、除雪アタッチメントに交換することにより簡易除雪機として利用できる携帯簡易除雪機に関する。【解決手段】除雪部２は、縦型ケース９と、縦型ケース９に垂直回転軸１２が回動自在に軸支される集雪オーガー１３と、縦型ケース９の上部内面に設けられる投雪案内壁１４で形成される角笛状の投雪昇圧部１５と、縦型ケース９の周面に開口される雪掻込み口１６と、前記投雪昇圧部１５の終端に開口される投雪口１７と、垂直回転軸１２の周囲所要範囲に渡って揺動自在に支持されるシュート１９と、前記縦型ケース９の上部外周に接合される取付けアーム２０と、前記垂直回転軸１２の上端に接合されるボス２１と前記回転盤８との接合部を被蓋する上カバー２２と、前記下軸受部１１を保護する下カバー２３とからなる。【選択図】図１
2009221711.tif 000002
【特許請求の範囲】
【請求項１】
Ｕ字型両手ハンドルが取着される操作杆に駆動軸が内装され、該駆動軸の一端に駆動源の出力軸が連結され、他端に回転ヘッドの入力軸が接合される刈払機本体部と前記回転ヘッドの出力軸に除雪用回転羽根が着脱自在に装着されてなる除雪部とから構成される携帯簡易除雪機において、前記除雪部は縦型ケースに前記除雪用回転羽根の垂直回転軸が回動自在に軸支される集雪オーガーから成り、前記縦型ケースは上部所要位置から下端部に渡る周面に雪掻込み口が開口されて前記操作杆に取着され、前記縦型ケースの上部には角笛状の投雪昇圧部が内設され、該投雪昇圧部の終端に開口される投雪口には、揺動手段を具備して集雪オーガーの垂直回転軸の周囲所要範囲に渡って揺動自在に支持されるシュートが連設されてなることを特徴とする携帯簡易除雪機。
【請求項２】
前記シュートの揺動手段に連係するシュート制御部が前記操作杆に配設されてなることを特徴とする請求項１記載の携帯簡易除雪機。
【発明の詳細な説明】
【技術分野】
【０００１】
本発明は、市販されている携帯用刈払機を利用し、除雪アタッチメントを装着することにより簡易除雪機として利用できる携帯簡易除雪機に関する。
【背景技術】
【０００２】
従来、刈払機を活用した携帯作業機械として、回転作業手段が除雪用回転羽根であるとした除雪技術が提案されている（特許文献１を参照）。
この公知技術は、刈払機の操作柄杆（１０）の第１駆動軸（１２）及び作業機械本体（２０）の第２駆動軸（２１）が作業機械本体（２０）の除雪用回転羽根（３０）の水平軸を回転軸とする作業軸（２２）に取り付けられ、羽根部（３１）で掻き取った雪を水平軸回りの遠心力によって放り出すものである。
したがって、オーガーで掻き集めた雪をブロアで投雪するのと異なり、除雪能力が低い上、投雪方向の制御ができない欠点を有する。
【０００３】
また、刈払機に刈払機アタッチメントとして除雪回転体を設けた技術が提案されている（特許文献２を参照）。
この公知技術は、刈払機アタッチメントとしての除雪回転体（１２０）が遠心ファン状に配設した複数枚の羽根（１２２）を積雪面の上面に押し当ててケーシングの周面に開口する吐出口（ＯＰ）から雪を排出するものである。
しかし、除雪作業においては積雪面の任意の位置からでは除雪に伴って吐出口が塞がれて排雪できず、吐出口が閉塞されない位置や姿勢で除雪しなければならず、しかも、ケーシングの周面方向すなわち除雪回転体の軸心と直交する方向には移動できないなど、除雪作業の自由度が狭い欠点がある。
【０００４】
さらに、刈払機の草刈刃を除雪部材に交換した除雪装置が提案されている（特許文献３を参照）。
この公知技術は、車輪（７）を設けた手押式刈払機（４０）をベースとし、刈払機の除雪部材（４）が水平軸心Ｌ廻りに回転する横断面Ｌ字状の雪掻き羽根（１１）で除雪するものである。
しかし、車輪を設けた手押式刈払機をベースとするから、一般的に普及している小型除雪機と同様にかなり重いものであり、屋根上での除雪には使用できないものである。
【特許文献１】特開２００３−１８０１１７号公報
【特許文献２】特開２００７−２８９０４０号公報
【特許文献３】特開２００７−３０９０５０号公報
【発明の開示】
【発明が解決しようとする課題】
【０００５】
上記に鑑みて、本発明は、刈払機を利用した除雪技術において、刈払機の回転ヘッドとの接合が簡易で、除雪能力が大であり、しかも屋根上での除雪に好適な、積雪面からの除雪でも雪壁面からの除雪でも左右に拡幅しつつ除雪できるなど作業自由度が広く、軽量で携帯できる携帯簡易除雪機を提供することを目的とするものである。
【課題を解決するための手段】
【０００６】
上記課題を達成するため、本発明の携帯簡易除雪機は、Ｕ字型両手ハンドルが取着される操作杆に駆動軸が内装され、該駆動軸の一端に駆動源の出力軸が連結され、他端に回転ヘッドの入力軸が接合される刈払機本体部と前記回転ヘッドの出力軸に除雪用回転羽根が着脱自在に装着されてなる除雪部とから構成される携帯簡易除雪機において、前記除雪部は縦型ケースに前記除雪用回転羽根の垂直回転軸が回動自在に軸支される集雪オーガーから成り、前記縦型ケースは上部所要位置から下端部に渡る周面に雪掻込み口が開口されて前記操作杆に取着され、前記縦型ケースの上部には角笛状の投雪昇圧部が内設され、該投雪昇圧部の終端に開口される投雪口には、揺動手段を具備して集雪オーガーの垂直回転軸の周囲所要範囲に渡って揺動自在に支持されるシュートが連設されてなるものである。
【０００７】
また、本発明の携帯簡易除雪機は、Ｕ字型両手ハンドルが取着される操作杆に駆動軸が内装され、該駆動軸の一端に駆動源の出力軸が連結され、他端に回転ヘッドの入力軸が接合される刈払機本体部と前記回転ヘッドの出力軸に除雪用回転羽根が装着されてなる除雪部とから構成される携帯簡易除雪機において、前記シュートの揺動手段に連係するシュート制御部が前記操作杆に配設されてなるものである。
【発明の効果】
【０００８】
本発明の携帯簡易除雪機によれば、縦型ケースの底面を積雪面に載置する降下方向への除雪でも、積雪壁面に向けての除雪でも、縦型ケースを左右に振りながらの除雪でも広くその除雪作業態様に対応できるから、作業自由度が広い。
また、垂直回転軸の集雪オーガーで直径に対して背丈の高い雪掻込み口で雪を掻き取って除雪できるから、除雪能力も高く、掻き取られた雪は角笛状に形成された投雪案内壁を有する投雪昇圧部によって圧迫されるから、勢いよく投雪口からシュートに案内され、しかも、手元のシュート制御部の回転ハンドルによってその投雪方向を制御できるから、除雪処理外の領域に排雪でき、能率良く除雪できる。
【０００９】
また、縦型ケースの雪掻込み口をＵ字型両手ハンドルによって左右に振り廻しできるから、除雪幅は簡単に拡幅され、自重による降下も加勢となって屋根上での雪下ろしには極めて省力的である。
このほか、除雪部は刈払機の回転ヘッドの出力軸に対して草刈刃を取着する回転盤を介して垂直回転軸の上端に一体のボスで着脱自在に接合でき、シュート制御部の支持体や縦型ケースの取付けアームの操作杆への取着は、上下に分割された分割接合部で操作杆を挟持できるから、刈払機本体部への接合が極めて簡易である。
【発明を実施するための最良の形態】
【００１０】
本発明の携帯簡易除雪機の一実施例を添付図面により、以下に説明する
図１に示すように、携帯簡易除雪機は、刈払機本体部１と除雪部２とからなる。
前記刈払機本体部１は、Ｕ字型両手ハンドル３及び肩掛けベルト（図示せず）が取着される長尺中空管状の操作杆４と、該操作杆４に内装される駆動軸（図示せず）と、操作杆４の一端で前記駆動軸（図示せず）の一端にその出力軸（図示せず）を連結して接合される駆動源５と、図２に示す操作杆４の他端で駆動軸（図示せず）の他端にその入力軸（図示せず）を連結される回転ヘッド６と、該回転ヘッド６の出力軸７に軸着される回転盤８とからなる。
図１に示すように、前記除雪部２は、長尺円筒状の縦型ケース９と、縦型ケース９の上軸受部１０と、下軸受部１１に垂直回転軸１２が回動自在に軸支される集雪オーガー１３と、図２に示す縦型ケース９の上部内面に設けられる投雪案内壁１４で形成される角笛状の投雪昇圧部１５と、上部所要位置から下端部に渡る周面に開口される雪掻込み口１６と、前記投雪昇圧部１５の終端に開口される投雪口１７と、投雪口１７に揺動手段１８を具備して集雪オーガー１３との垂直回転軸１２の周囲所要範囲に渡って揺動自在に支持されるシュート１９と、前記縦型ケース９の上部外周に接合される取付けアーム２０と、前記垂直回転軸１２の上端に接合されるボス２１と前記回転盤８との接合部を被蓋する上カバー２２と、前記下軸受部１１を保護する下カバー２３と、シュート制御部２４とからなる。
【００１１】
そして、図２に示すように、前記揺動手段１８は、前記シュート１９と一体の回転胴２５と、該回転胴２５の上部に周設される台座２６と、該台座２６の上面に所要の曲率半径で円弧上に単体群として配列されるチェーンアタッチメント２７と、前記回転胴２５の基部で縦型ケース９の上部に外嵌する大径円筒部２８と、前記縦型ケース９の上端部周縁に水平に周設されるガイドフランジ２９と、前記大径円筒部２８の下端でガイドフランジ２９を上下からすべり材３０を介して揺動自在に挟持する滑り案内部３１とからなる。なお、すべり材３０を滑り案内部３１側に設けてもよい。
図１に示すように、前記シュート制御部２４は、前記チェーンアタッチメント２７の配列群に噛合するスプロケットホイール３２と、該スプロケットホイール３２の回転軸３３を軸支して操作杆４に取着される支持体３４と、前記Ｕ字型両手ハンドル３の近傍で操作杆４に取着され、ウォーム３５とウォームギヤ３６による減速手段が内蔵されるギヤボックス３７と、前記ウォーム３５の軸部に取着される回転ハンドル３８と、前記ウォームギヤ３６の軸部と前記支持体３４に軸支される回転軸３３とに軸着されるフレキシブルシャフト３９とからなる。
【００１２】
また、図２にその断面の詳細を示すように、前記上軸受部１０は縦型ケース９の上端に溶着される上座盤４０と、該上座盤４０の中央に貫設した嵌合孔４１にボス部を嵌入して上座盤４０の凸部上面にボルトで固定される軸受ハウジング４２と、軸受ハウジング４２内嵌されて垂直回転軸１２を軸支する軸受４３の内輪を上小径軸部４４に固定する固定ナット４５（回り止め用の舌付き座金を含む）と、軸受４３の外輪を固定すべくシム調整して軸受ハウジング４２にボルトで固定される軸受押さえ４６とから成り、軸受ハウジング４２の垂直回転軸１２との嵌合部及び軸受押さえ４６の上小径軸部４４との嵌合部にはそれぞれシール部材が内設される。
さらに、図３にその断面の詳細を示すように、下軸受部１１は縦型ケース９の下端に溶着されたリング座４７にボルトで固定される下座盤４８と、下座盤４８中央に貫設した嵌合孔４９にボス部を嵌入して下座盤４８の内面に凸部上面（内面）にボルトで固定される軸受ハウジング５０と、軸受ハウジング５０に内嵌されて垂直回転軸１２の下小径軸部５１を軸支する軸受５２と、軸受５２の内輪を下小径軸部５１に固定する固定ナット５３（回り止め用の舌付き座金を含む）と、軸受５２の外輪を固定すべくシム調整して軸受押さえ５４とから成り、軸受ハウジング５０の垂直回転軸１２との嵌合部には前記と同様にシール部材が内設される。
【００１３】
さらに、支持体３４と取付けアーム２０及びギヤボックス３７の操作杆４への取付けについて説明すると、それぞれ分割接合部５５で操作杆４に接合されるものであるが、支持体３４と取付けアーム２０に関しては、図４及び図５に示すように、支持体３４及び取付けアーム２０の各上端に溶着される下取付け座５６と上側の挟持体５７とがそれぞれの半円弧状の嵌着凹部を操作杆４に嵌着してボルト５８で固定され、操作杆４に確実に挟持されるものである。
ギヤボックス３７に関しては図６に示すように、前記支持体３４と取付けアーム２０と同様にギヤボックス３７の上面に溶着される下取付け座５６と上側の挟持体５７とがそれぞれの半円弧状の嵌着凹部を操作杆４に嵌着してボルト５８で固定され、操作杆４に確実に挟持されるものである。
なお、集雪オーガー１３のブレード等が破損して修復が生じた場合には、図１に示す回転盤８のボルトを緩めて、垂直回転軸１２の上部軸端からボルト５９を抜いてボス２１を取り外すとともに、キー５９も外し、軸受押さえ４６をボルトを緩めて取り外し、固定ナット４５を緩めて上小径軸部４４より外すと、軸受ハウジング４２に対して上小径軸部４４はフリーの状態となる。
この状態で、図３に示す下軸受部１１の下座盤４８のボルトを緩めてリング座４７との係合を解けば、リング座４７の内径は集雪オーガー１３のブレードの直径より大であるから、下座盤４８と共に集雪オーガー１３は縦型ケース９から脱却され、メンテナンスにも十分対応できるものである。
【００１４】
本発明の携帯簡易除雪機における除雪部２は、軽量仕上げを旨とするものであるから、前記縦型ケース９や集雪オーガー１３の上下軸端部を除く大部分、及びシュート制御部２４の支持体３４やギヤボックス３７などは軽量アルミ合金製が好適である。
また、前記揺動手段１８は、前記シュート１９と一体の回転胴２５を縦型ケース９の上部に所要揺動範囲で滑り案内部３１で抜け止めして所要位置にボルトなどで位置決めするものから、遠隔制御のシュート制御部２４で任意位置に位置決めするなどであり、遠隔制御の場合は、前記回転胴２５をスプロケットホイール３２やピン車で回動させるためのチェーンアタッチメント２７や噛合孔が回転胴２５に設けられたり、ボーデンワイヤや連接棒で回動させるためのアームやリンクなどが回転胴２５に設けられる。
【００１５】
次に、本発明の携帯簡易除雪機の操作動作を添付図面により、以下に説明する
このようにしてなる携帯簡易除雪機は、図１に示すシュート制御部２４のギヤボックス３７の回転ハンドル３８を操作し、前記シュート１９を所要の投雪方向へ向けて除雪を開始する。
前記垂直回転軸１２で回転する集雪オーガー１３は直径に対して背丈を高くして除雪できる上、前記Ｕ字型両手ハンドル３により左右に振り廻して除雪幅を拡幅できるから除雪能力が大であり、高く積もった屋根上での除雪では、積雪上面から前記除雪部２の自重も加勢して降下させながら除雪できるので、作業労力も軽減され、投雪方向も制御できるから省力的に能率のよい除雪ができる。
そして、除雪期間が過ぎれば、前記シュート制御部２４の支持体３４やギヤボックス３７及び縦型ケース９の取付けアーム２０はそれぞれ分割接合部５５で図２にその一部を示すように操作杆４から外され、前記垂直回転軸１２は回転ヘッド６の回転盤８とボス２１を分離することによって簡単に刈払機本体部１から外され、この刈払機本体部１には何らの変更も加えてないから、春から秋にかけては回転ヘッド６の回転盤８に草刈刃（図外）が装着されて刈払機として使用されるものである。
【００１６】
したがって、本来であれば冬期は休眠状態である刈払機が、除雪に役立つものであるから、積雪地方の農家にとっては極めて経済的で有用である。
また、本発明における集雪オーガー１３のブレードは、上部の投雪昇圧部１５では、投雪案内壁１４の絞り状の形状に沿ってその直径が投雪口１７に向けて順次縮径されて形成されるものである。
このことによって、前記雪掻込み口１６から掻き取られた雪が集雪オーガー１３の螺旋によって絞り状の投雪昇圧部１５に高速で送り込まれ、徐々に圧力が上昇し、昇圧状態で投雪口１７より勢いよく投雪される。
【００１７】
本発明は、市販の刈払機に何らの変更を要することなく提供できるから、農家よりの需要に対応すべく、簡易除雪装置の製造業界の分野で貢献できることは勿論のこと、刈払機の使用が除雪分野にも及ぶこととなって刈払機製造業界の活性化にも資することとなり、産業上の利用効果は多大である。
【図面の簡単な説明】
【００１８】
【図１】本発明の携帯簡易除雪機の一側面図である。
【図２】除雪部の上部分解状態の要部縦断面図である。
【図３】除雪部の下部縦断面図である。
【図４】除雪部の一部を破断した上部説明図である。
【図５】図１のＱ矢視図である。
【図６】図１のＰ矢視図である。
【符号の説明】
【００１９】
１  刈払機本体部
２  除雪部
３  Ｕ字型両手ハンドル
４  操作杆
５  駆動源
６  回転ヘッド
７  出力軸
８  回転盤
９  縦型ケース
１０  上軸受部
１１  下軸受部
１２  垂直回転軸
１３  集雪オーガー
１４  投雪案内壁
１５  投雪昇圧部
１６  雪掻込み口
１７  投雪口
１８  揺動手段
１９  シュート
２０  取付けアーム
２１  ボス
２２  上カバー
２３  下カバー
２４  シュート制御部
２５  回転胴
２６  台座
２７  チェーンアタッチメント
２８  大径円筒部
２９  ガイドフランジ
３０  スベリ材
３１  滑り案内部
３２  スプロケットホイール
３３  回転軸
３４  支持体
３５  ウォーム
３６  ウォームギヤ
３７  ギヤボックス
３８  回転ハンドル
３９  フレキシブルシャフト
４０  上座盤
４１  嵌合孔
４２  軸受ハウジング
４３  軸受
４４  上小径軸部
４５  固定ネット
４６  軸受押さえ
４７  リング座
４８  下座盤
４９  嵌合孔
５０  軸受ハウジング
５１  下小径軸部
５２  軸受
５３  固定ネット
５４  軸受押さえ
５５  分割接合部
５６  下取付け座
５７  挟持体
５８  ボルト
５９  ボルト
６０  キー
【図１】
2009221711.tif 000003
【図２】
2009221711.tif 000004
【図３】
2009221711.tif 000005
【図４】
2009221711.tif 000006
【図５】
2009221711.tif 000007
【図６】
2009221711.tif 000008